(57)【要約】      （修正有）【課題】部品数が少なく、構成が簡単で、鍵の偽造が容易ではないロック装置を提供する。【解決手段】ガイド溝２ｅを軸方向に形成した円筒状の軸部２ｂを有するキー２と、シリンダ錠４とを備え、シリンダ錠４は、外筒５と、この外筒内に回動可能に収容される内筒本体８ａ、この内筒本体に固定されたロッド９およびキー挿入口を有する内筒８と、この内筒本体と外筒との間に介在されてこれら内筒本体と外筒とに係脱可能に係止して内筒の回転を阻止するロッキングバー７と、キー溝２ｅに係脱可能に係合するガイド凸部１３ｅおよび内筒内に回動可能に収容されてロッキングバーを落とし込む内側係合凹部１３ｄを有する回動可能なタンブラ１３とを備えた構成とした。【選択図】図１
2018091024.tif 000002
【特許請求の範囲】
【請求項１】
ガイド溝を軸方向に形成した円筒状の軸部を有するキーと、
外筒、この外筒内に回動可能に収容される内筒本体及びこの内筒本体に固定されたロッド及びキー挿入口を有する内筒、この内筒本体と外筒との間に介在されてこれら内筒と外筒とに係脱可能に係止して前記内筒の回転を阻止するロッキングバー、前記ガイド溝に係脱可能に係合するガイド凸部及び前記内筒内に回動可能に収容されて前記ロッキングバーを落とし込む内側係合凹部を有するタンブラを備えたシリンダ錠と、
を具備し、
前記シリンダ錠は、前記キーの軸部が前記内筒のキー挿入口に挿入されたときに、前記ガイド溝に係合する前記ガイド凸部を有する前記タンブラを前記ガイド溝の案内により回動させてその内側係合凹部を前記ロッキングバーの位置に一致させ、前記内筒の回動開始の際に前記ロッキングバーを前記内筒のバー挿通孔内を径方向に挿通させて、前記タンブラの内側係合凹部側へ落とし込むことにより、この内筒と外筒との係止状態を解除させ、内筒を所定角度回動可能にするように構成されていることを特徴とするロック装置。
【請求項２】
キーと、このキーにより回動される内筒を有するシリンダ錠とを具備しているロック装置であって、
前記キーは、
開口先端を有する円筒状の軸部及びこの軸部にて軸方向に形成されたガイド溝を備え、
前記シリンダ錠は、
軸方向両端が開口した円筒状の外筒本体及びこの外筒本体の内周面に形成されて円柱状のロッキングバーの径方向外端部に係合する外側係合凹部を有し、この外側係合凹部を前記外筒本体の周方向に複数配設してなる外筒と、
前記外筒内に回動可能に収容された有底円筒状の内筒本体、この内筒本体の底部外面にて径方向外方に突出するように突設されたロッド、前記内筒本体の底部内面中心部上にて同軸状に突設されて前記キーの挿入方向を案内するキー挿入ガイド、このキー挿入ガイドの外周間隙に形成されて前記キー本体が挿入されるキー挿入口及び前記内筒本体を径方向に貫通して前記ロッキングバーを前記内筒本体の中心側へ径方向に挿通させるバー挿通孔及び耳部が係合する耳係合部を有する内筒と、
この内筒の挿通孔と前記外筒の外側係合凹部内とに跨って収容されて内筒の回動を阻止するようにこれら内筒と外筒とに係止される円柱状のロッキングバーと、
前記内筒のキー挿入ガイドを挿通させる中心孔を有する円環状のタンブラ本体、このタンブラ本体の中心孔内周部にてその中心方向へ突出して前記キーのガイド溝に係合するガイド凸部、前記タンブラ本体の外周部にて径方向外方へ突出するように突設されて前記内筒の耳係合部に回動可能に係合される耳部及び前記タンブラ本体の外周部に形成されて前記ロッキングバーの径方向内端部に係脱可能に係合する内側係合部を有するタンブラと、
を備え、
前記シリンダ錠は、前記キーの軸部が前記内筒のキー挿入口に挿入されたときに、前記ガイド溝に係合する前記ガイド凸部を有する前記タンブラを前記ガイド溝の案内により回動させてその内側係合凹部を前記ロッキングバーの位置に一致させ、前記内筒の回動開始の際に前記ロッキングバーを前記内筒のバー挿通孔内を径方向に挿通させて、前記タンブラの内側係合凹部側へ落とし込むことにより、この内筒と外筒との係止状態を解除させ、内筒を所定角度回動可能にするように構成されていることを特徴とするロック装置。
【請求項３】
前記シリンダ錠は、前記内筒が所定角度回動されて前記キーが前記キー挿入口から外方に引き抜かれたときに、前記ガイド溝に係合したガイド凸部を有するタンブラを回動させて前記ロッキングバーを前記外筒と内筒の間に押し込み介在させてこの外筒と内筒を係止させ、この内筒の回動を阻止するように構成されていることを特徴とする請求項１または２に記載のロック装置。
【請求項４】
前記シリンダ錠は、前記内筒の回動角を規制する回動角規制手段を備えていることを特徴とする請求項１から３のいずれか１項に記載のロック装置。
【請求項５】
前記タンブラは、その内側係合凹部と前記ガイド凸部との位置が前記キーの挿入方向で相違するように形成された複数枚を備えていることを特徴とする請求項１から４のいずれか１項に記載のロック装置。
【請求項６】
前記複数のタンブラどうしの間には、これら複数のタンブラにそれぞれ接触する接触面を摺動面に形成したスペーサが介在されることを特徴とする請求項５記載のロック装置。
【請求項７】
前記キー挿入口は、前記キーの軸部の横断面に適合する挿入口を形成したキー挿入用のガイドリングを具備していることを特徴とする請求項１から６のいずれか１項に記載のロック装置。
【請求項８】
前記キーと内筒は、このキーの挿入方向をそれぞれ示す印部を備えていることを特徴とする請求項１から７のいずれか１項に記載のロック装置。
【請求項９】
前記キーは、前記ガイド溝に代えて、その径方向反対側の軸部に第２のガイド溝を形成した第２のキーを備え、
前記タンブラは、この第２のガイド溝に係合する第２のガイド凸部備え、
前記第２のキーの軸部を前記内筒のキー挿入口に挿入することにより、前記ガイド溝に前記ガイド凸部を係合させると共に、このガイド溝の案内により前記タンブラを回動させてその内側係合凹部を前記ロッキングバーの位置に一致させることを特徴とする請求項１から８のいずれか１項に記載のロック装置。
【発明の詳細な説明】
【技術分野】
【０００１】
本発明の実施形態は、キーと、このキーにより回動される内筒を有するシリンダ錠とを具備しているロック装置に関する。
【背景技術】
【０００２】
従来、この種のシリンダ錠としては、鞄等の被取付体に固定される外筒内に、キー挿入口を有する内筒を回動可能に収容し、さらに、外筒と内筒に跨るように複数のタンブラを設けて、外筒と内筒とを直接係脱可能に係止させるものが知られている（例えば、特許文献１参照）。
【０００３】
そして、偽造等ではない正規のメカニカルキーをキー挿入口に挿入すると、全てのタンブラが駆動して外筒と内筒の係止状態が解除され、内筒が回動可能になる。
【０００４】
そこで、キーを所要角回動させて内筒を所要角回動させることにより、内筒内のカム機構等を駆動してデッドボルト（閂）を駆動し、施錠または解錠する。
【０００５】
また、上記タンブラに代えてロッキングバーを外筒と内筒に跨設し、これら両筒を係止させるものも知られている（例えば、特許文献２参照）。
【先行技術文献】
【特許文献】
【０００６】
【特許文献１】特開２０１５−１１３６５７号公報
【特許文献２】特開２０００−０９６８８９号公報
【発明の概要】
【発明が解決しようとする課題】
【０００７】
しかしながら、上記特許文献１により開示されたものでは、複数枚のタンブラ２２，２３の一端部を、内筒であるインナーシリンダ１３の外周から突出させる側に付勢するばね２５等のばね５０，５８を具備しており、部品点数が多く、シリンダ錠全体としての構成が複雑であるという課題がある。
【０００８】
また、上記特許文献２により開示されたものでは、鍵２が平板により構成されているので、偽造が容易である、という課題がある。
【０００９】
本発明が解決しようとする課題は、ばねを使用せずにタンブラを駆動する等、構成が簡単で部品数が少ないうえに、鍵の偽造が容易ではないロック装置を提供することにある。
【課題を解決するための手段】
【００１０】
実施形態に係るロック装置は、ガイド溝を軸方向に形成した円筒状の軸部を有するキーとシリンダ錠とを具備している。
【００１１】
シリンダ錠は、外筒と、この外筒内に回動可能に収容される内筒本体およびこの内筒本体に固定された施錠ロッドおよびキー挿入口を有する内筒と、この内筒本体と外筒との間に介在されてこれら内筒と外筒とに係脱可能に係止して内筒の回転を阻止するロッキングバーと、キー溝に係脱可能に係合するガイド凸部および内筒内に回動可能に収容されてロッキングバーを落とし込む内側係合凹部を有するタンブラと、を備えている。
【００１２】
そして、キーの軸部を内筒のキー挿入口に挿入することにより、キー溝にガイド凸部を係合させると共に、このキー溝に沿ってタンブラを回動させてその内側係合凹部をロッキングバーの位置に一致させ、このロッキングバーを内筒のバー挿通孔内を径方向に挿通させて、タンブラの内側係合凹部側へ落とし込むことにより、この内筒と外筒との係止状態を解除させ、内筒を回動可能にする。
【発明の効果】
【００１３】
本発明によれば、ばねを使用せずにタンブラを駆動する等、部品数が少なく、構成が簡単で、鍵の偽造が容易ではないロック装置を提供することができる。
【図面の簡単な説明】
【００１４】
【図１】（ａ）は、シリンダ錠のキー挿入口にキーを挿入する前の図５のＩ−Ｉ線断面図、（ｂ）は、シリンダ錠のキー挿入口にキーを挿入した時の図５のＩ−Ｉ線断面図。
【図２】（ａ）は、キー挿入口にキーを挿入した後、キーの回動操作により内筒を例えば図中時計方向へ回動を開始した際の図５のＩ−Ｉ線断面図、（ｂ）は、同，（ａ）の後、キーを例えば約４５°回動操作させたときの図５のＩ−Ｉ線断面図。
【図３】（ａ）は、同，キーを例えば約９０°回動操作したときの図５のＩ−Ｉ線断面図、（ｂ）は、同，（ａ）の３時の位置においてキーをキー挿入口から外方へ引き抜いたときの図５のＩ−Ｉ線断面図。
【図４】シリンダ錠のキー挿入口にキーの軸部を挿入した状態のロック装置の斜視図。
【図５】同，図４で示すロック装置の平面図。
【図６】図４，図５で示すキーの斜視図。
【図７】図６で示すキーを図６中の右側方から見たときの斜視図。
【図８】図４，図５で示す外筒内に内筒を挿入して収容させる状態を示す斜視図。
【図９】（ａ）は、図４，図５で示すシリンダ錠の正面図、（ｂ）は、同，（ａ）の平面図。
【図１０】（ａ）は、図８で示す内筒の一部省略斜視図、（ｂ）は、同，（ａ）の内筒のキー挿入口に配設されるキー挿入用のガイドリングの正面図。
【図１１】（ａ）は、図１０（ａ）で示す内筒のタンブラとスペーサを図示省略したときの斜視図、（ｂ）は、同，（ａ）のＢ矢印方向から見たときの斜視図。
【図１２】図１０（ａ）等で示す内筒内に収容された複数のスペーサと複数のタンブラを図中上下方向に交互に積層した状態の斜視図。
【図１３】図１２等で示すスペーサの平面図。
【図１４】（ａ）は、図１２等で示す第１段のタンブラの平面図、（ｂ）は、同，第２のタンブラの平面図、（ｃ）は、同，第３段のタンブラの平面図。
【発明を実施するための形態】
【００１５】
以下、本実施形態を図面を参照して説明する。なお、複数の図面中、同一または相当部分には同一符号を付している。
【００１６】
図４，図５は、本実施形態に係るキーをシリンダ錠のキー挿入口に挿入した状態のロック装置１の各斜視図である。
【００１７】
これら図４，図５に示すようにロック装置１は、亜鉛合金製等、金属製のキー２と、このキー２が挿入されるキー挿入口３を有するほぼ全体が合成樹脂製のシリンダ錠４と、を具備している。
【００１８】
図４〜図７に示すようにキー２は、ユーザが把持する平板状の把持部２ａに、円筒状の軸部２ｂを同軸状に一体に連成している。
【００１９】
軸部２ｂは、把持部２ａ側の一端部上に、キー２の挿入位置と挿入方向をそれぞれ示す、例えば四角形と三角形等で図中左右一対をなすキー挿入用印部２ｃ，２ｄを軸方向に所要の間隔を置いてレリーフ等により形成している。
【００２０】
軸部２ｂは、その図６中上面上にて、四角形のキー挿入用印部２ｄの近傍からジグザグ状に蛇行するキー溝２ｅをガイド溝の一例として軸方向に形成している。
【００２１】
軸部２ｂは、そのキー先端部（図６，図７では左端部）２ｆを円形の開口部に形成しており、このキー先端部２ｆにてキー溝２ｅの先端部（図５では左端部）を開口させてキー溝開口部２ｇを形成している。
【００２２】
図４に示すようにシリンダ錠４はキー挿入口３を有するＰＯＭ等の樹脂製の外筒５を具備している。外筒５は、シリンダ錠４が装着される図示省略のスーツケース等の鞄類や施錠類等の被取付体に取り付け、固着される円筒状の外筒本体５ａを有する。
【００２３】
図８に示すように外筒本体５ａは、その軸方向一端（図８では右端）に、そのほぼ全面を開口させた開口端部５ｆを形成する一方、その軸方向他端を端板５ｇにより閉じている。端板５ｇはそのほぼ中央に、キー挿入用のガイドリング５ｈを嵌合させて固定するリング嵌合孔５ｉを形成している。また、端板５ｇは、その内面外周部に係止凸部５ｊを突設している。
【００２４】
そして、図１（ａ）〜図３（ｂ）に示すように外筒５は、その外筒本体５ａに、外方に凸の複数個、例えば２個の第１，第２の円弧状凸部５ｂ，５ｃを形成している。
【００２５】
これら第１，第２の円弧状凸部５ｂ，５ｃは、中空の円弧形に形成されており、その内面に円弧状凹部の第１，第２の外側係合凹部５ｄ，５ｅをそれぞれ形成しており、外筒本体５ａの軸方向に所要長形成されている。これら第１，第２の円弧状凸部５ｂ，５ｃとその外側係合凹部５ｄ，５ｅは、外筒本体５ａの周方向に、その中心角９０°等、所要角離間されて配設される。例えば、第１の円弧状凸部５ｂと外側係合凹部５ｄは、時計の文字盤表示（以下、時計表示という）で１２時の位置に、この第１の外側係合凹部５ｄの中心が位置するように形成されている。また、第２の円弧状凸部５ｂと係合凹部５ｅは、その第２の外側係合凹部５ｄの中心が３時の位置に位置するように形成されている。
【００２６】
そして、図１（ａ），（ｂ）等で示すように、これら第１，第２の外側係合凹部５ｄ，５ｅは、その内部に、所要長円柱状のＳＵＳ等の金属製のロッキングバー７の直径方向の一部（図１（ａ）〜図３（ｂ）では上部）が収容される。
【００２７】
図８，図１０（ａ）は、このように構成された外筒本体５ａ内に回動可能に収容される内筒（シリンダ）８の斜視図、図９（ａ）は、同，正面図、図９ｂは、同（ａ）の平面図である。
【００２８】
図１１（ａ），（ｂ）でも示すように、内筒８は、有底円筒状の内筒本体８ａを有し、この内筒本体８ａの開口端８ｂと軸方向反対側の底部８ｃの外面に、円盤状基端部９ａを介して角柱状のロッド９を施錠ロッドの一例として固着している。ロッド９は、その自由先端部を内筒本体８ａの外周面よりも遠心方向外方へ所要長突出させている。ロッド９は、その突出先端部を図示省略のストライク等の施錠用の受け具に係脱可能に係合させ、ロッド９の回動により施錠または解錠することができるようになっている。
【００２９】
内筒８は、その内筒本体８ａの底部８ｃの外面を外筒５の開口端部５ｆのかしめにより固定される。また、内筒本体８ａは、その底部８ｃの内面中心部上に、円柱状または中空円筒状のキー挿入ガイド１０を同心状に突設し、キー挿入ガイド１０の外周囲に所要大の環状空間１１を形成して、キー挿入ガイド１０回りの所要の外周空間をキー２の軸部２ｂが挿入されるキー挿入空間を形成している。キー挿入ガイド１０はその自由閉塞先端面を内筒本体８ａの開口端８ｂよりも若干外方へ突出させ、その突出閉塞先端面にはロッド９の突出方向と同一方向に頂角を向けた、例えば三角凹部状の位置決め用印部１０ａを形成している。
【００３０】
図８，図１０（ａ），図１１（ａ），（ｂ）に示すように内筒８は、内筒本体８ａの図中上面上に、例えば平面形状が長方形のバー挿通孔８ｄを形成している。このバー挿通孔８ｄは、内筒本体８ａの側壁を径方向に貫通するように形成されており、図１（ａ），（ｂ）〜図３（ａ），（ｂ）に示すようにロッキングバー７を内筒本体８ａの中心側へ径方向に挿通させる。
【００３１】
内筒８は、内筒本体８ａに、バー挿通孔８ｄの左右両側（図１１（ａ）では図中上下両側）にて左右一対の矩形開口の耳係合凹部８ｅ，８ｆを厚さ方向に貫通するように切欠形成している。
【００３２】
そして、このように構成された内筒８は、その内筒本体８ａ内の環状空間１１内に、図１２で示すように複数枚、例えば第１〜第３段の３枚（３種類）の円環状の真鍮等金属製のタンブラ１２，１３，１４と、ＰＡシート等からなる第１〜第３段の３枚の円環状のスペーサ１５，１５，１５を、図中上下方向に交互に積層した状態で収容している。これら第１〜第３段のタンブラ１２〜１４とスペーサ１５，１５，１５は、その表裏両面を摺動し易い摺動面に形成している。
【００３３】
図１４（ａ）〜（ｃ）に示すように第１〜第３段のタンブラ１２〜１４は、その各円環状のタンブラ本体１２ａ，１３ａ，１４ａに、図中左右一対の鳩尾形の耳部１２ｂと１２ｃ、１３ｂと１３ｃ、１４ｂと１４ｃを水平方向外方（図中左右方向）へそれぞれ突出するように一体に突設している。
【００３４】
これら各対の耳部１２ｂと１２ｃ、１３ｂと１３ｃ、１４ｂと１４ｃは、みなほぼ矩形で同形同大に形成され、これらの各周方向寸法Ｓａ（図１４（ａ）参照）は内筒本体８ａの左右一対の耳係合凹部８ｅ，８ｆの周方向寸法Ｓｂ（図１０（ａ）参照）よりも小さく（Ｓａ＜Ｓｂ）なるように形成されており、各耳部１２ｂと１２ｃ、１３ｂと１３ｃ、１４ｂと１４ｃは、各耳係合凹部８ｅ，８ｆ内に周方向に若干回動し得るように遊びを持ってそれぞれ嵌合される。
【００３５】
そして、これらタンブラ１２〜１４は、各タンブラ本体１２ａ〜１４ａの図１４（ａ）〜（ｃ）中、上部（時計表示で１２時）の外周部にて、環状中心側へ凹み、外側に向けて開口する円弧状の内側係合凹部１２ｄ，１３ｄ，１４ｄをそれぞれ形成している。
【００３６】
これら各内側係合凹部１２ｄ，１３ｄ，１４ｄは、図１（ａ）〜図３（ｂ）に示すようにロッキングバー７の径方向図中下部に適合し、受けることができる円弧形状と寸法に形成されている。
【００３７】
また、第１〜第３段のタンブラ１２〜１４は、その環状の各タンブラ本体１２ａ，１３ａ，１４ａの内周部に、環状中心方向へ突出する上下一対のガイド凸部１２ｅと１２ｆ、１３ｅと１３ｆ、１４ｅと１４ｆをそれぞれ突設している。
【００３８】
各上部のガイド凸部１２ｅ，１３ｅ，１４ｅは、図５等で示すキー２の上部のキー溝２ｅに係脱可能に嵌合し、キー溝２ｅの奥への挿入に従って、その蛇行に応じて周方向に回動することにより、各タンブラ本体１２ａ，１３ａ，１４ａを周方向に所要角回動させ、図１４（ａ）〜（ｃ）に示すように各内側係合凹部１２ｄ，１３ｄ，１４ｄを、みな所定の位置、例えば時計表示で１２時の位置で一致させるように案内する。すなわち、キー２のキー溝２ｅは、キー２の軸部２ｂがキー挿入口３へ単に挿入されることにより、第１〜第３段のタンブラ１２〜１４を所定角回動させて内側係合凹部１２ｄ，１３ｄ，１４ｄの全てが１２時の位置で一致するように形成されている。
【００３９】
これら各内側係合凹部１２ｄ〜１４ｄと各上部のガイド凸部１２ｅ〜１４ｅとの位置関係は第１〜第３段のタンブラ１２〜１４毎に若干相違し、これら第１〜第３段のタンブラ１２〜１４の積層方向で若干ずれている。但し、これら第１〜第３段のタンブラ１２〜１４は、その積層方向で全部ずれていなくてもよい。また、タンブラ１２〜１４は１枚でもよく、１枚以上であればよい。
【００４０】
図１３に示すように第１〜第３段の各スペーサ１５，１５，１５は、上記第１〜第３段のタンブラ１２〜１４のタンブラ本体１２ａ〜１４ａと平面形状がほぼ同形，同大の環状のスペーサ本体１５ａ，１５ａ，１５ａをそれぞれ有し、表裏両面を摺動性の高い摺動面に形成している。
【００４１】
また、各スペーサ本体１５ａには、図中左右一対の耳部１５ｂ，１５ｃと、上下一対の円弧状の内側係合凹部１５ｄ，１５ｅをそれぞれ形成している。図１２では各スペーサ本体１５ａが、各タンブラ本体１２ａ，１３ａ，１４ａよりも板厚が薄く形成されている場合について図示されているが、必ずしも薄くなくてもよい。
【００４２】
これら左右一対の耳部１５ｂ，１５ｃは、上記第１〜第３段のタンブラ１２〜１４の左右一対の耳部１２ｂと１２ｃ、１３ｂと１３ｃ、１４ｂと１４ｃとほぼ同形に形成されているが、周方向の長さが若干長く、例えば約２倍程度長く形成されており、内筒本体８ａの左右一対の耳係合凹部８ｅ，８ｆにほぼ緊密に嵌合させており、第１〜第３段のタンブラ１２〜１４の周方向の回動時にもほぼ回動しないようになっている。
【００４３】
そして、図１３中、上部の内側係合凹部１５ｄは、左右一対の耳部１５ｂ，１５ｃが内筒８の左右一対の耳係合凹部８ｅ，８ｆ内に嵌合したときに、１２時の位置に位置するように形成され、同様に図中下部の内側係合凹部１５ｅは６時の位置に位置するように形成されている。
【００４４】
図１０（ｂ）に示すようにガイドリング５ｈは、円環状のリング本体５ｈ１の外周部の図中右側部に、その外側方に突出する鳩尾形の耳部５ｈ２を一体に連成している。また、ガイドリング５ｈは、その円形内周部に、キー２の軸部２ｂを挿通させるキー挿入口３を形成している。このキー挿入口３は、キー２の軸部２ｂの横断面に適合する形状と大きさに形成されており、図８中上部にはキー２の矩形状のキー挿入用印部２ｄを挿通させる矩形凹部３ａを形成している。
【００４５】
ガイドリング５ｈは、図１０（ａ）で示す内筒８ｂの開口端部８ｂの内側かつ第１段のスペーサ１５の上面上に配設され、耳部５ｈ２を、一方の耳係合凹部、例えば８ｆの開口端部８ｂ側一端部（図８では左端部）内に嵌合させて固定している。
【００４６】
そして、図８，図１０（ａ）に示すように内筒８は、その開口端部８ｂに、ガイドリング５ｈの耳部５ｈ２が嵌合される耳係合凹部８ｆの直径方向反対側にて、図中上下一対の回動規制溝８ｇ，８ｈを切欠形成している。
【００４７】
これら上下一対の回動規制溝８ｇ，８ｈは、一方の耳係合凹部、例えば８ｅの周方向両側端部間を跨いで所要中心角、例えば９０°に形成され、図８で示す外筒５内の係止凸部５ｊと摺動可能に係合され、内筒８の回動角を規制する回動角規制手段に構成されている。
【００４８】
すなわち、この回動角規制手段は、その回動中心角を、上記外筒５の第１の円弧状凸部５ｂ内の第１の外側係合凹部５ｅの中心から第２の円弧状凸部５ｃ内の第２の外側係合凹部５ｅの中心までの回動中心角と等しくなるように形成して、内筒８が９０°可逆的に回動し得るように構成している。なお、回動中心角は９０°でなくてもよく、必要に応じて適宜変更してもよい。
【００４９】
次に、このように構成されたロック装置１の作用を説明する。
【００５０】
まず、シリンダ錠４のキー挿入口３にキー２の軸部２ｂを挿入する前は、シリンダ錠４は、図１（ａ）に示すような状態にあり、ロッキングバー７の径方向図中上半部が外筒５の第１の外側係合凹部５ｄ内に係合し、残りの図中下半部が内筒８のバー挿通孔８ｄ内に係合している。また、このとき、ロッキングバー７は、その図中円弧状下面を各タンブラ本体１２ａ〜１４ａの外周面に当接させているので、これらタンブラ本体１２ａ〜１４ａの中心軸回りの回動により、ロッキングバー７自体も、その中心軸回りに若干回動する。
【００５１】
図１（ａ）に示すようにロッキングバー７が外筒５の内周面と内筒８の外周面とに介在されている場合には、外筒５と内筒８がロッキングバー７により係止されているので、内筒８をほぼ回動させることができない。
【００５２】
そこで、図４に示すように、シリンダ錠４のキー挿入口３内にキー２の円筒状の軸部２ｂを挿入する。このキー２の軸部２ｂの挿入時には、その軸部２ｂの根元のキー挿入用印部２ｃの三角形の頂角方向を、図８（ａ）等で示す円筒状のキー挿入ガイド１０の位置決め用印部１０ａの三角形の頂角方向に一致させて位置決めしてから挿入する。
【００５３】
すると、図１（ａ）〜図３（ｂ），図９（ａ），（ｂ），図１０（ａ）等で示すようにキー２の軸部２ｂは、キー挿入ガイド１０とガイドリング５ｈとにより案内されて、内筒８内の第１〜第３段のスペーサ１５，１５，１５と、第１〜第３段のタンブラ１２〜１４の積層体の各環状孔内を第１から第３段へ順次進入していく。
【００５４】
このために、第１〜第３段のタンブラ１２〜１４の内周部に突設された上部のガイド凸部１２ｅ，１３ｅ，１４ｅがキー溝２ｅに順次係合すると共に、このキー２の軸部２ｂのさらなる奥への挿入に従って、その挿入押圧力とキー溝２ｅのジグザグ状の蛇行とにより案内されて第１〜第３段のタンブラ１２〜１４がその中心軸回りに図中左または右方向へ所要角それぞれ回動する。これら回動角と回動方向は、各ガイド凸部１２ｅ，１３ｅ，１４ｅがそれぞれ係合するキー溝２ｅの各屈曲角と屈曲方向により左右される。
【００５５】
このようにキー２を所定位置の奥まで押し込んでいくと、まず図１（ｂ）に示すように第１〜第３段のタンブラ１２〜１４の図中上部の内側係合凹部１２ｄ，１３ｄ，１４ｄ，の全部が所定の位置、例えば１２時の位置に揃う。この１２時の位置は、外筒５の第１の外側係合凹部５ｄと内筒８のバー挿通孔８ｄとに係合しているロッキングバー７の位置に一致している。
【００５６】
そこで、キー２を例えば図中時計方向に回動操作して内筒８を時計方向に回動させるように内筒８に回動力を与えると、その回動開始の際に、内筒８のバー挿通孔８ｄ内に収容されているロッキングバー７のバー挿通孔８ｄから図中上方へ突出している図中右上端部が第１の外側係合凹部５ｄの図中右下端部に衝当し、この衝当面の円弧面により内筒８の中心側へロッキングバー７の全体が押圧される。
【００５７】
このために、図２（ａ）に示すようにロッキングバー７の全体が内筒８のバー挿通孔８ｄ内を図中下方へ挿通して、ロッキングバー７の図中円弧状下端部が、第１〜第３段のタンブラ本体１２ａ〜１４ａの上部内側係合凹部１２ｄ，１３ｄ，１４ｄ内へ押し込まれる。
【００５８】
これにより、ロッキングバー７が外筒本体５ａの内周面と内筒本体８ａの外周面との間に介在して、これら両者を係止していた係止状態が解除されるので、内筒８は外筒５内で回動可能になる。
【００５９】
そこで、次に図２（ｂ）に示すようにキー２を、さらに時計方向へ回動操作する。すると、内筒８全体が時計方向に回動する。このために、ロッキングバー７は内筒本体８ａのバー挿通孔８ｄと、第１〜第３段のタンブラ１２〜１４およびスペーサ１５，１５，１５の上部の内側係合凹部１２ｄ，１３ｄ，１４ｄ，１５ｄ，１５ｄ，１５ｄに係合した状態で外筒本体５ａの内周面を摺動しながら所定角度回動し、図３（ａ）に示すようにロッキングバー７が、例えば３時の位置に到達する。
【００６０】
この内筒８の回動角は、内筒８に設けた回動規制溝８ｇ，８ｈと、これに係合する外筒５の係止凸部５ｊとにより規制される。この回動角は９０°に限定されるものではなく、適宜変更できる。
【００６１】
そこで、この３時の位置において、キー２をキー挿入口３から外方へ引き抜くと、このキー２のキー溝２ｅに係合しているガイド凸部１２ｅ，１３ｅ，１４ｅを有する第１〜第３段のタンブラ１２〜１４がキー溝２ｅの屈曲角に応じて中心軸回りに図中時計方向または反時計方向にそれぞれ若干回動する。
【００６２】
これにより、図３（ｂ）に示すようにロッキングバー７が各タンブラ１２〜１４の上部内側係合凹部１２ｄ，１３ｄ，１４ｄから外側の各タンブラ１２〜１４の外周面上へ押し出される。このために、ロッキングバー７はこれらタンブラ１２〜１４の外周面により３時の位置の第２の外側係合凹部５ｅ内へ押し込まれる。
【００６３】
これにより、ロッキングバー７が３時の位置において、外筒本体５ａの内周面と内筒本体８ａの外周面との間に介装されるので、これら両本体５ａ，８ａ間に係止される。このために、これ以上の内筒本体８ａの回動は阻止され、その阻止状態が保持される。
【００６４】
このように内筒本体８ａが所要中心角回動するので、この内筒本体８ａの底部に固着されているロッド９も内筒８の回動角と同じ回動角で回動され、施錠動作または解錠動作を行うことができる。すなわち、例えば図１（ａ）で示すように１２時の位置にロッド９が位置し、その自由先端部が図示省略のストライク等の施錠用受け具に係脱可能に係合または係止して施錠されているときに、ロッド９が３時の位置に回動することにより、ロッド９がストライクから外れるので、解錠される。
【００６５】
なお、上記ストライク等の施錠受け具は３時の位置に配置してもよく、この場合は上記の場合とは施錠位置と解錠位置が逆になる。
【００６６】
そして、図３（ｂ）に示すようにロッキングバー７が３時の位置に到達して内筒８の回動が阻止された後、キー２の軸部２ｂをキー挿入口３から外方へ抜き取ると、全タンブラ１２〜１４がキー２の軸部２ｂの挿入時と逆方向に回動する。すなわち、キー２を抜き取る場合は、これまでキー溝２ｅに係合していた第１〜第３段のタンブラ１２〜１４の上部ガイド凸部１２ｅ，１３ｅ，１４ｅがキー溝２ｅの蛇行角（屈曲角）に応じてタンブラ本体１２ａ，１３ａ，１４ａをキー２の軸部２ｂの挿入時と逆方向に回動される。
【００６７】
そして、このように内筒本体８ａが３時の位置に位置している状態において、第１〜第３段のタンブラ１２〜１４とスペーサ１５，１５，１の全部は、それぞれの原状位置に復帰するので、これら第１〜第３段のタンブラ１２〜１４の各内側係合凹部１２ｄ，１３ｄ，１４ｄの位置が、図１（ａ）で示す状態と同様に不一致状態になる。
【００６８】
次に、この不一致状態のときに、再びキー２の軸部２ｂをシリンダ錠４のキー挿入口３内へ挿入すると、上記１２時のときと同様に、キー溝２ｅ内に第１〜第３段のタンブラ１２〜１４の上部ガイド凸部１２ｅ，１３ｅ，１４ｅが係合し、キー溝２ｅの蛇行に応じてこれら第１〜第３段のタンブラ１２〜１４がそれぞれ所要角回動する。
【００６９】
これにより、各内側係合凹部１２ｄ，１３ｄ，１４ｄの全部が３時の位置で一致し揃うので、キー２を反時計方向に回動操作して内筒８を反時計方向に回動させると、上記１２時の場合と同様の作用により、外筒５の第２の外側係合凹部５ｅ内に係合していたロッキングバー７が内筒本体８ａのバー挿通孔８ｄを経て、全タンブラ１２〜１４の内側係合凹部１２ｄ，１３ｄ，１４ｄ内へ落ち込む。その結果、内筒本体８ａは再び回動可能になる。
【００７０】
そこで、キー２をさらに１２時側へ戻すように回し続けると、ロッキングバー７は、この１２時の位置に到達したときに、上記３時の位置に到達したときと同様の作用により、図１（ａ）に示すように１２時の位置にある第１の外側係合凹部５ｄ内へ押し出される。
【００７１】
これにより、ロッキングバー７が外筒本体５ａの内周面と、内筒本体８ａの外周面との間に介在されて係止されるので、内筒本体８ａのそれ以上の回動は阻止され、１２時の位置で保持される。
【００７２】
このために、ロッド９は３時の位置から１２時の位置へ回動するので、再び施錠または解錠される。
【００７３】
したがって、このロック装置１によれば、シリンダ錠４のキー挿入口３内へキー２の軸部２ｂを単に抜き差しすることにより、全タンブラ１２〜１４を回動することができる。このために、ばね等のタンブラの駆動部材を省略して部品数の削減を図ることができ、その結果、シリンダ錠４全体の構成の簡単化とコスト低減とを図ることができる。
【００７４】
また、第１〜第３段のタンブラ１２〜１４を回動させる機構がキー溝２ｅとこのキー溝２ｅに係脱可能に係合するガイド凸部１２ｅ，１３ｅ，１４ｅとにより構成する、という簡単な構成であるので、シリンダ錠４の構成のさらなる簡単化を図ることができる。
【００７５】
さらに、キー２の軸部２ｂを三次元の筒状等立体に形成したので、平板からなる平板キーよりも偽造の困難性を高めることができる。また、キー挿入口３には正規のキー２の軸部２ｂのみを挿通させるガイドリング５ｈを設けているので、偽造キーの使用を未然に防止できる。このために、キー２の偽造の困難性をさらに高めることができる。
【００７６】
さらにまた、キー溝２ｅはキー２のキー挿入口３への挿入時に、第１〜第３段のタンブラ１２〜１４全部の内側係合凹部１２ｄ，１３ｄ，１４ｄの位置を揃える一方、原状位置に戻す溝であるので、このキー溝２ｅの精度は高いものが要求される。このために、キー２の偽造のさらなる困難性を高めることができるので、偽造の防止または低減効果をさらに高めることができる。
【００７７】
さらに、本実施形態によれば、キー挿入ガイド１０とキー挿入用印部２ｃ、位置決め用印部１０ａを具備しているので、キーの誤挿入の防止とキー挿入のスムース化とを図ることができる。
【００７８】
さらにまた、内筒８の一対の回動規制溝８ｇ，８ｈと、これらに係合する外筒５の係止凸部５ｊとにより、内筒８の可逆的な回動角を規制する回動規制手段を構成しているので、内筒８の回動角を正確かつ確実に規制することができる。
【００７９】
また、複数のタンブラ１２〜１４同士の間に、摺動性の高いスペーサ１５を介挿したので、これらタンブラ１２〜１４の回動の確実性と精度の向上とを図ることができる。但し、スペーサ１５は削除してもよい。
【００８０】
なお、上記実施形態では、タンブラ１２〜１４を３枚（３段）設けた場合について説明したが、１枚でもよく、１枚以上であればよい。
【００８１】
また、内側係合凹部１２ｄ，１３ｄ，１４ｄとガイド凸部１２ｅ〜１４ｅの各々の形成位置と、これら両者の位置関係をそれぞれ変えた複数種類のタンブラを設け、その組み合せを複数パターン設けてもよく、これによれば、偽造防止または低減効果をさらに高めることができる。
【００８２】
さらに、複数種類のタンブラの組合せパターンを複数種設けることにより、タンブラを駆動するキー溝２ｅの形状が複雑化するので、その分、キー２の偽造防止、低減効果のさらなる向上を図ることができる。
【００８３】
なお、上記実施形態では、キー２の軸部２ｂの上面にキー溝２ｅを形成した場合について説明したが、本発明は、このキー溝２ｅに代えて、その径方向反対側の下面に第２のキー溝２ｅＡを設けた第２のキー２Ａを具備してもよい。この第２のキー２Ａをキー挿入口３へ挿入することにより、その第２のキー溝２ｅＡに第１〜第３段のタンブラ１２〜１４の下部（第２）ガイド凸部１２ｆ，１３ｆ，１４ｆを係脱可能に係合させて回動し、これらタンブラ１２〜１４の内側係合凹部１２ｄ，１３ｄ，１４ｄの全部を所要の位置に一致させて、内筒８を回動可能にするように構成してもよい。
【００８４】
以上、本発明の種々の実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態やその変形は、本発明の範囲や要旨に含まれるとともに、特許請求の範囲に記載された発明とその均等の範囲に含まれる。
【符号の説明】
【００８５】
１…ロック装置、２…キー、２ｂ…軸部、２ｃ，２ｄ…キー挿入用印部、２ｅ…キー溝（ガイド溝）、３…キー挿入口、４…シリンダ錠、５…外筒、５ａ…外筒本体、５ｂ，５ｃ…第１，第２の円弧状凸部、５ｄ，５ｅ…第１，第２の外側係合凹部、５ｈ…ガイドリング、５ｊ…係止凸部、７…ロッキングバー、８…内筒、８ａ…内筒本体、８ｅ，８ｆ…左右一対の耳係合凹部、８ｇ，８ｈ…一対の回動規制溝（回動規制手段）、１２，１３，１４…第１〜第３段のタンブラ、１２ａ，１３ａ，１４ａ…各タンブラ本体、１２ｂと１２ｃ、１３ｂと１３ｃ、１４ｂと１４ｃ…各左右一対の耳部、１２ｄ，１３ｄ，１４ｄ…内側係合凹部、１２ｅと１２ｆ、１３ｅと１３ｆ、１４ｅと１４ｆ…上下一対のガイド凸部、１５…スペーサ、１５ａ…スペーサ本体、１５ｂ，１５ｃ…左右一対の耳部。
【図１】
2018091024.tif 000003
【図２】
2018091024.tif 000004
【図３】
2018091024.tif 000005
【図４】
2018091024.tif 000006
【図５】
2018091024.tif 000007
【図６】
2018091024.tif 000008
【図７】
2018091024.tif 000009
【図８】
2018091024.tif 000010
【図９】
2018091024.tif 000011
【図１０】
2018091024.tif 000012
【図１１】
2018091024.tif 000013
【図１２】
2018091024.tif 000014
【図１３】
2018091024.tif 000015
【図１４】
2018091024.tif 000016
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
ガイド溝を軸方向に形成した円筒状の軸部を有するキーと、
外筒、この外筒内に回動可能に収容される内筒本体及びこの内筒本体に固定されたロッド及びキー挿入口及びこのキー挿入口内に位置するように前記内筒本体に固定されたキー挿入ガイドを有する内筒、この内筒と外筒との間に介在されてこれら内筒と外筒とに係脱可能に係止して前記内筒の回転を阻止するロッキングバー、前記キーのガイド溝に係脱可能に係合するガイド凸部及び前記内筒内に回動可能に収容されて前記ロッキングバーを落とし込む内側係合凹部を有するタンブラを備えたシリンダ錠と、
を具備し、
前記シリンダ錠は、前記キーの軸部が前記内筒のキー挿入口から前記キー挿入ガイドに沿って内方へ挿入されたときに、前記キーのガイド溝に係合する前記ガイド凸部を有する前記タンブラを前記キーのガイド溝の案内により回動させてその内側係合凹部を前記ロッキングバーの位置に一致させ、前記内筒の回動開始の際に前記ロッキングバーを前記内筒のバー挿通孔内を径方向に挿通させて、前記タンブラの内側係合凹部側へ落とし込むことにより、この内筒と外筒との係止状態を解除させ、内筒を所定角度回動可能にするように構成されていることを特徴とするロック装置。
【請求項２】
キーと、このキーにより回動される内筒を有するシリンダ錠とを具備しているロック装置であって、
前記キーは、
開口先端を有する円筒状の軸部及びこの軸部にて軸方向に形成されたガイド溝を備え、
前記シリンダ錠は、
軸方向両端が開口した円筒状の外筒本体及びこの外筒本体の内周面に形成されて円柱状のロッキングバーの径方向外端部に係合する外側係合凹部を有し、この外側係合凹部を前記外筒本体の周方向に複数配設してなる外筒と、
前記外筒内に回動可能に収容された有底円筒状の内筒本体、この内筒本体の底部外面にて径方向外方に突出するように突設されたロッド、前記内筒本体の底部内面中心部上にて同軸状に突設されて前記キーの挿入方向を案内するキー挿入ガイド、このキー挿入ガイドの外周間隙に形成されて前記キーが挿入されるキー挿入口及び前記内筒本体を径方向に貫通して前記ロッキングバーを前記内筒本体の中心側へ径方向に挿通させるバー挿通孔及び耳部が係合する耳係合部を有する内筒と、
この内筒のバー挿通孔と前記外筒の外側係合凹部内とに跨って収容されて内筒の回動を阻止するようにこれら内筒と外筒とに係止される円柱状のロッキングバーと、
前記内筒のキー挿入ガイドを挿通させる中心孔を有する円環状のタンブラ本体、このタンブラ本体の中心孔内周部にてその中心方向へ突出して前記キーのガイド溝に係合するガイド凸部、前記タンブラ本体の外周部にて径方向外方へ突出するように突設されて前記内筒の耳係合部に回動可能に係合される耳部及び前記タンブラ本体の外周部に形成されて前記ロッキングバーの径方向内端部に係脱可能に係合する内側係合凹部を有するタンブラと、
を備え、
前記シリンダ錠は、前記キーの軸部が前記内筒のキー挿入口から前記キー挿入ガイドに沿って内方へ挿入されたときに、前記キーのガイド溝に係合する前記ガイド凸部を有する前記タンブラを前記キーのガイド溝の案内により回動させてその内側係合凹部を前記ロッキングバーの位置に一致させ、前記内筒の回動開始の際に前記ロッキングバーを前記内筒のバー挿通孔内を径方向に挿通させて、前記タンブラの内側係合凹部側へ落とし込むことにより、この内筒と外筒との係止状態を解除させ、内筒を所定角度回動可能にするように構成されていることを特徴とするロック装置。
【請求項３】
前記キー挿入ガイドは、その自由閉塞先端面を前記キー挿入口内に配置していることを特徴とする請求項１または２に記載のロック装置。
【請求項４】
前記シリンダ錠は、前記内筒が所定角度回動されて前記キーが前記キー挿入口から外方に引き抜かれたときに、前記キーのガイド溝に係合したガイド凸部を有するタンブラを回動させて前記ロッキングバーを前記外筒と内筒の間に押し込み介在させてこの外筒と内筒を係止させ、この内筒の回動を阻止するように構成されていることを特徴とする請求項１から３のいずれか１項に記載のロック装置。
【請求項５】
前記シリンダ錠は、前記内筒の回動角を規制する回動角規制手段を備えていることを特徴とする請求項１から４のいずれか１項に記載のロック装置。
【請求項６】
前記タンブラは、その内側係合凹部と前記ガイド凸部との位置が前記キーの挿入方向で相違するように形成された複数枚を備えていることを特徴とする請求項１から５のいずれか１項に記載のロック装置。
【請求項７】
前記複数のタンブラどうしの間には、これら複数のタンブラにそれぞれ接触する接触面を摺動面に形成したスペーサが介在されることを特徴とする請求項６記載のロック装置。
【請求項８】
前記キー挿入口は、前記キーの軸部の横断面に適合する挿入口を形成したキー挿入用のガイドリングを具備していることを特徴とする請求項１から７のいずれか１項に記載のロック装置。
【請求項９】
前記キーと内筒は、このキーの挿入方向をそれぞれ示す印部を備えていることを特徴とする請求項１から８のいずれか１項に記載のロック装置。
【請求項１０】
前記キーは、前記ガイド溝に代えて、その径方向反対側の軸部に第２のガイド溝を形成した第２のキーを備え、
前記タンブラは、この第２のガイド溝に係合する第２のガイド凸部を備え、
前記第２のキーの軸部を前記内筒のキー挿入口に挿入することにより、前記第２のガイド溝に前記第２のガイド凸部を係合させると共に、この第２のガイド溝の案内により前記タンブラを回動させてその内側係合凹部を前記ロッキングバーの位置に一致させることを特徴とする請求項１から９のいずれか１項に記載のロック装置。
【手続補正２】
【補正対象書類名】明細書
【補正対象項目名】００１１
【補正方法】変更
【補正の内容】
【００１１】
シリンダ錠は、外筒と、この外筒内に回動可能に収容される内筒本体およびこの内筒本体に固定されたロッドおよびキー挿入口及びこのキー挿入口内に位置するように内筒本体に固定されたキー挿入ガイドを有する内筒と、この内筒と外筒との間に介在されてこれら内筒と外筒とに係脱可能に係止して内筒の回転を阻止するロッキングバーと、キーのガイド溝に係脱可能に係合するガイド凸部および内筒内に回動可能に収容されてロッキングバーを落とし込む内側係合凹部を有するタンブラと、を備えている。
【手続補正３】
【補正対象書類名】明細書
【補正対象項目名】００１２
【補正方法】変更
【補正の内容】
【００１２】
そして、キーの軸部を内筒のキー挿入口からキー挿入ガイドに沿って内方へ挿入されたときに、キーのガイド溝にガイド凸部を係合させると共に、このキーのガイド溝に沿ってタンブラを回動させてその内側係合凹部をロッキングバーの位置に一致させ、このロッキングバーを内筒のバー挿通孔内を径方向に挿通させて、タンブラの内側係合凹部側へ落とし込むことにより、この内筒と外筒との係止状態を解除させ、内筒を回動可能にする。
【手続補正４】
【補正対象書類名】明細書
【補正対象項目名】００２９
【補正方法】変更
【補正の内容】
【００２９】
内筒８は、その内筒本体８ａの底部８ｃの外面を外筒５の開口端部５ｆのかしめにより固定される。また、内筒本体８ａは、その底部８ｃの内面中心部上に、円柱状または中空円筒状のキー挿入ガイド１０の底部を同心状に固定して突設し、キー挿入ガイド１０の外周囲に所要大の環状空間１１を形成して、キー挿入ガイド１０回りの所要の外周空間をキー２の軸部２ｂが挿入されるキー挿入空間を形成している。キー挿入ガイド１０はその自由閉塞先端面を内筒本体８ａの開口端８ｂよりも若干外方へ突出させ、その突出閉塞先端面にはロッド９の突出方向と同一方向に頂角を向けた、例えば三角凹部状の位置決め用印部１０ａを形成している。
【手続補正５】
【補正対象書類名】明細書
【補正対象項目名】００３１
【補正方法】変更
【補正の内容】
【００３１】
内筒８は、内筒本体８ａに、バー挿通孔８ｄの左右両側（図１１（ａ）では図中上下両側）にて耳係合部の一例として左右一対の矩形開口の耳係合凹部８ｅ，８ｆを厚さ方向に貫通するように切欠形成している。
【手続補正６】
【補正対象書類名】明細書
【補正対象項目名】００３４
【補正方法】変更
【補正の内容】
【００３４】
これら各対の耳部１２ｂと１２ｃ、１３ｂと１３ｃ、１４ｂと１４ｃは、みなほぼ矩形で同形同大に形成され、これらの各周方向寸法Ｓａ（図１４（ａ）参照）は内筒本体８ａの左右一対の耳係合凹部８ｅ，８ｆの周方向寸法Ｓｂ（図１０（ａ）参照）よりも小さく（Ｓａ＜Ｓｂ）なるように形成されており、各耳部１２ｂと１２ｃ、１３ｂと１３ｃ、１４ｂと１４ｃは、各耳係合凹部８ｅ，８ｆ内にて周方向に若干回動し得るように遊びを持ってそれぞれ嵌合される。
【手続補正７】
【補正対象書類名】明細書
【補正対象項目名】００５０
【補正方法】変更
【補正の内容】
【００５０】
まず、シリンダ錠４のキー挿入口３にキー２の軸部２ｂを挿入する前は、シリンダ錠４は、図１（ａ）に示すような状態にあり、ロッキングバー７の径方向図中上半部が外筒５の第１の外側係合凹部５ｄ内に係合し、残りの図中下半部が内筒８のバー挿通孔８ｄ内に係合している。また、このとき、ロッキングバー７は、その図中円弧状下面を各タンブラ本体１２ａ〜１４ａの外周面に当接させているので、これらタンブラ本体１２ａ〜１４ａの中心軸回りの回動により、ロッキングバー７自体も、その中心軸回りに若干回動可能状態にある。
【手続補正８】
【補正対象書類名】明細書
【補正対象項目名】００５９
【補正方法】変更
【補正の内容】
【００５９】
そこで、次に図２（ｂ）に示すようにキー２を、さらに時計方向へ回動操作する。すると、キー挿入ガイド１０と共に内筒８全体が時計方向に回動する。このために、ロッキングバー７は内筒本体８ａのバー挿通孔８ｄと、第１〜第３段のタンブラ１２〜１４およびスペーサ１５，１５，１５の上部の内側係合凹部１２ｄ，１３ｄ，１４ｄ，１５ｄ，１５ｄ，１５ｄに係合した状態で外筒本体５ａの内周面を摺動しながら所定角度回動し、図３（ａ）に示すようにロッキングバー７が、例えば３時の位置に到達する。このために、キー挿入ガイド１０の位置決め用印部１０ａの三角形の頂角が３時の位置に向けられる。
【手続補正９】
【補正対象書類名】明細書
【補正対象項目名】００６６
【補正方法】変更
【補正の内容】
【００６６】
そして、図３（ｂ）に示すようにロッキングバー７が３時の位置に到達して内筒８の回動が阻止された後、キー２の軸部２ｂをキー挿入口３から外方へ抜き取ると、全タンブラ１２〜１４がキー２の軸部２ｂの挿入時と逆方向に回動する。すなわち、キー２を抜き取る場合は、これまでキー溝２ｅに係合していた第１〜第３段のタンブラ１２〜１４の上部ガイド凸部１２ｅ，１３ｅ，１４ｅがキー溝２ｅの蛇行角（屈曲角）に案内されてタンブラ本体１２ａ，１３ａ，１４ａがキー２の軸部２ｂの挿入時と逆方向に若干回動される。
【手続補正１０】
【補正対象書類名】明細書
【補正対象項目名】００６７
【補正方法】変更
【補正の内容】
【００６７】
このために、内筒本体８ａが３時の位置に位置している状態において、第１〜第３段のタンブラ１２〜１４の各内側係合凹部１２ｄ，１３ｄ，１４ｄの位置が不一致状態になる。
【手続補正１１】
【補正対象書類名】明細書
【補正対象項目名】００６８
【補正方法】変更
【補正の内容】
【００６８】
この不一致状態のときに、再びキー２の軸部２ｂをシリンダ錠４のキー挿入口３内へ挿入すると、上記１２時のときと同様に、キー溝２ｅ内に第１〜第３段のタンブラ１２〜１４の上部ガイド凸部１２ｅ，１３ｅ，１４ｅが係合し、キー溝２ｅに案内されてこれら第１〜第３段のタンブラ１２〜１４がそれぞれ所要角回動する。
【手続補正１２】
【補正対象書類名】明細書
【補正対象項目名】００７７
【補正方法】変更
【補正の内容】
【００７７】
さらに、本実施形態によれば、キー挿入ガイド１０とキー挿入用印部２ｃ、位置決め用印部１０ａを具備しているので、キーの誤挿入の防止とキー挿入のスムース化とを図ることができる。また、キー挿入ガイド１０の位置決め用印部１０ａによりロッド９の位置を認識することができ、ロック装置１が施錠または解錠のいずれかであることを認識することができる。